(57)【特許請求の範囲】
【請求項１】
眼内レンズ用インプラント（１０、３０）であって、
光を内部に通過させるための光学経路（１４）を画定し、密閉されていて開口部を含んでいない望遠鏡型本体（１２）と、
前記望遠鏡型本体（１２）に取り付けられる複数のレンズ（１６）と、
前記インプラント（１０、３０）を眼の内部に取り付けるために前記望遠鏡型本体（１２）に連結される取付構造部（１８）と、
前記光学経路（１４）の外側で、前記インプラント（１０、３０）内の前記レンズ（１６）の外側でレンズから離れて配置され、前記光学経路（１４）の外側の光の透過作用を最小限にするが前記光学経路（１４）を通る光の透過作用を妨げない光学的遮断部と、
を具備する、眼内レンズ用インプラント（１０、３０）において、
前記光学的遮断部が、前記望遠鏡型本体（１２）に配置される不透明な環部（３２）を具備し、前記環部（３２）は、前記光学経路（１４）を通る光の透過作用が、前記環部（３２）によって妨げられないように、前記光学経路（１４）と整列する開口部（３４）を有する、眼内レンズ用インプラント（１０、３０）。
【請求項２】
前記光学的遮断部が、前記光学経路（１４）の外側の前記望遠鏡型本体（１２）の一部分において半透明の色分け部を具備する、請求項１に記載の眼内レンズ用インプラント（１０、３０）。
【請求項３】
前記光学的遮断部が、前記光学経路（１４）の外側の前記望遠鏡型本体（１２）の一部分において不透明の色分け部を具備する、請求項１に記載の眼内レンズ用インプラント（１０、３０）。
【請求項４】
前記光学的遮断部が、前記光学経路（１４）の外側の前記取付構造部（１８）において半透明の色分け部を具備する、請求項１に記載の眼内レンズ用インプラント（１０、３０）。
【請求項５】
前記光学的遮断部が、前記光学経路（１４）の外側の前記取付構造部（１８）において不透明の色分け部を具備する、請求項１に記載の眼内レンズ用インプラント（１０、３０）。
【請求項６】
前記光学的遮断部が、前記望遠鏡型本体（１２）内に配置された半透明の環部（３２）を具備し、前記環部（３２）は前記光学経路（１４）と共に整列された開口部を有しており、それにより、前記光学経路（１４）を通る光の透過作用が前記環部（３２）によって妨げられないようにした、請求項１に記載の眼内レンズ用インプラント（３０）。
【請求項７】
前記光学的遮断部が、前記望遠鏡型本体（１２）内に配置された不透明の環部（３２）を具備し、前記環部（３２）は前記光学経路（１４）と共に整列された開口部を有しており、それにより、前記光学経路（１４）を通る光の透過作用が前記環部（３２）によって妨げられないようにした、請求項１に記載の眼内レンズ用インプラント（１０、３０）。
【請求項８】
前記光学的遮断部が液晶材料を具備する、請求項１に記載の眼内レンズ用インプラント（１０、３０）。
【請求項９】
前記光学的遮断部が、エレクトロクロミック材料および該光学的遮断部に電気的に接続された電源を具備する、請求項１に記載の眼内レンズ用インプラント（１０、３０）。
【請求項１０】
前記環部（３２）が、前記望遠鏡型本体（１２）と前記複数のレンズの少なくとも一つとの間に配置される、請求項１に記載の眼内レンズ用インプラント（１０、３０）。
【請求項１１】
前記複数のレンズが、少なくとも一つの凹レンズと少なくとも一つの凸レンズとを具備する、請求項１に記載の眼内レンズ用インプラント（１０、３０）。
【請求項１２】
前記環部（３２）が、前記望遠鏡型本体（１２）の内壁と前記少なくとも一つの凹レンズとの間に配置される、請求項１１に記載の眼内レンズ用インプラント（１０、３０）。
【発明の詳細な説明】
【０００１】
発明の分野
本発明は、眼内レンズ用インプラント、特に耐グレア構造部を備えた望遠鏡型眼内レンズに関する。
【０００２】
発明の背景
望遠鏡状部を具備する眼内レンズ（ＩＯＬ）用挿入部は公知である。望遠鏡型ＩＯＬの代表的な実施例は、出願人／譲受人の米国特許第５３５４３３５号明細書、同第５３９１２０２号、同第５８１４１０３号を含んでおり、これらを参照することによって本明細書の記載に代える。望遠鏡型ＩＯＬはガリレイ式と逆ガリレイ式とに分類されうる。ガリレイ式望遠鏡型ＩＯＬは、中心領域の欠点、例えば黄斑変性症（例えば萎縮または滲出）、斑の脈絡網膜炎、中心性漿液性脈絡膜症、または虚血により生ずる欠点によって遮られる問題を修正するよう形成されている。逆ガリレイ望遠鏡型ＩＯＬは、周辺領域の欠点、例えば色素性網膜炎、原発性または転移性の中心神経系の腫瘍または緑内障により生ずる欠点によって遮られる問題を修正するよう形成されている。
【０００３】
望遠鏡型ＩＯＬは、網膜に対して望遠鏡状部を通る入射光線を導くことによって視覚的な問題を修正するよう形成されている。一般的には、望遠鏡状部は、光線を黄斑の領域まで導くよう配置されている。中心窩と呼ばれる黄斑の中心は最も明敏な視力の部分である。従って、この場所に光を導くことが好ましい。望遠鏡型ＩＯＬにより生じうる問題は、光が、望遠鏡状部だけでなくＩＯＬの他の部分、例えばキャリア構造部にも通って着用者の眼に進入することである。望遠鏡状部を通過しない迷光は望遠鏡状部を通過する光のように網膜に向かって焦点合わせされない。迷光によってＩＯＬの着用者にグレアを感じさせると共に、知覚される形状の間のコントラストを減少させる。
【０００４】
発明の概要
本発明は耐グレア構造部を備えた改良式の望遠鏡型ＩＯＬを提供するものである。特に、本発明は、光学的遮断部を提供し、この光学的遮断部はインプラントの望遠鏡型本体によって形成される光学経路の外側に光が透過するのを最小限にするが、光学経路を通過する光の透過作用を妨げるものではない。光学的遮断部は半透明または不透明でありうる。半透明は、光線を放散させて通過させるので物体を明確に見ることができない媒体によって形成される。従って、本発明は望遠鏡状部の光学経路の外側の迷光を少なくするまたは排除し、その結果、ＩＯＬの着用者に対するグレアを少なくするまたは排除して、知覚される形状の間のコントラストを維持することにより、従来技術の前述した問題を解決するものである。
【０００５】
従って、本発明の好ましい実施態様は、眼内レンズ用インプラントにおいて、光を内部に通過させるための光学経路を形成する望遠鏡型本体と、前記望遠鏡型本体に取り付けられた少なくとも一つのレンズと、前記インプラントを眼の内部に取り付けるために前記望遠鏡型本体に連結されている取付構造部と、前記光学経路の外側の前記インプラント内に配置された光学手遮断部とを具備し、該光学的遮断部は前記光学経路の外側の光を最小限にするが前記光学経路を通る光の透過作用を妨げないようにした眼内レンズ用インプラントを提供する。
【０００６】
好ましい実施態様の詳細な説明
本発明は以下の添付図面からさらに完全に理解されるであろう。
図１を参照すると、本発明の好ましい実施態様に基づいて構成される眼内レンズ（ｉｎｔｒａｏｃｕｌａｒ、ＩＯＬ）用インプラント１０が示されている。ＩＯＬ用インプラント１０は、内部に光を通過させるための光学経路１４を形成する望遠鏡型（ｔｅｌｅｓｃｏｐｅ）本体１２を有しているのが好ましい。望遠鏡型本体１２は円筒形状であって、出願人／譲受人による米国特許第５３５４３３５号明細書、同第５３９１２０２号、同第５８１４１０３号の教示するところに基づいて構成されうるのが好ましい。これら参照例に開示されるように、望遠鏡型本体１２は、一つまたは複数、このましくは少なくとも二つのレンズ１６を有しており、これらレンズ１６は、（前方に位置決めされた正のレンズと後方に位置決めされた負のレンズとを有する）ガリレイ式望遠鏡または（前方に位置決めされた負のレンズと後方に位置決めされた正のレンズとを有する）逆ガリレイ式望遠鏡を形成している。
【０００７】
取付構造部１８が、眼（図示しない）の内部にＩＯＬ用インプラント１０を取り付けるために設けられている。取付構造部１８は例えば、望遠鏡型本体１２の外周に固定されているキャリア要素２０を有しうる。望遠鏡型本体１２の外周から一つまたは複数の触覚部２２が延びている。
ＩＯＬ用インプラント１０の全ての部品を構成するのに適切な材料は、当該技術分野において周知である例えばポリメチルメタクリレート（ＰＭＭＡ）である。
【０００８】
本発明の特別の特徴は、光学的遮断物が光学経路１４の外側のＩＯＬ用インプラント１０内に配置されており、この光学的遮断部は、光学経路１４の外側の光の透過作用を最小限にするが光学経路１４を通る光の透過作用を妨げるものではない。そのような光学的遮断部の複数の実施例を説明する。
本発明の好ましい実施態様によれば、、光学的遮断部は、光学経路１４の外側の望遠鏡型本体１２の一部分において、半透明または不透明の色分け部を具備している。例えば、半透明または不透明の被覆部を望遠鏡型本体１２の内周部２６または外周部２８上に塗布または他の方向で形成してもよい。さらにまたはもしくは、望遠鏡型本体１２を、半透明または不透明の材料から製造することもできる。着色されたＰＭＭＡは公知であって利用可能であると共に、例えば独国のシュツットガルトにあるモルケレ株式会社（Ｍｏｒｃｈｅｒ  ＧｍｂＨ）の或る非望遠鏡型ＩＯＬの一部分に使用されている。
【０００９】
さらに特に、光学的遮断部は、光学経路１４の外側の取付構造部１８において同様に説明される半透明または不透明の色分け部、例えばキャリア要素２０上に形成された半透明または不透明の被覆部を具備するか、または着色されたＰＭＭＡからキャリア要素２０を形成することによって半透明または不透明の色分け部を具備することができる。
【００１０】
図２を参照すると、本発明の他の実施態様に基づいて構成される眼内レンズ（ＩＯＬ）用インプラント３０が示されている。ＩＯＬ用インプラント３０は、同様の要素は同様の参照番号によって示されていてＩＯＬ用インプラント１０と同様であるのが好ましい。ＩＯＬ用インプラント３０は、このＩＯＬ用インプラント３０においては光学的遮断部が、望遠鏡型本体１２内に配置された半透明または不透明の環部３２を具備するという点でＩＯＬ用インプラント１０とは異なる。環部３２は、光学経路１４と共に整列された開口部３４を有しており、それにより、光学経路１４を通る光の透過作用が環部３２によって妨げられないようになる。
【００１１】
本発明の半透明または不透明の光学的遮断部を構成する他の実施態様においては、エレクトロクロミック材料を使用している。エレクトロクロミック材料は、電界が存在することによって不透明または半透明から透明に変化するという特性を有している。或る実施例は、インジウム−スズ酸化物（ＩＴＯ）の液晶またはタングステン酸化物に基づくエレクトロクロミック・ガラスである。適切な小型電源（図２における参照番号３６）をエレクトロクロミック材料に電気的に接続させて、要求される電界を形成する。そのような実施態様においては、光学的遮断部は光を選択的に遮断する、すなわち、光学的遮断部は、光を望遠鏡型本体の光学経路の外側に通過させるか、または要求されるように光を遮断できる。
【００１２】
当業者であれば、本発明は、前述またはここに説明した内容に制限されないことを認識するであろう。本発明の範囲は、前述した特徴および変更例または変種例からなるコンビネーションまたはサブコンビネーションの両方を含む。当業者であれば、これら変更例または変種例を前述した説明および従来技術の説明から想定することができる。
【図面の簡単な説明】
【図１】  本発明の好ましい実施態様に基づいて構成される眼内レンズ用インプラントの部分断面図である。
【図２】  本発明の他の好ましい実施態様に基づいて構成される眼内レンズ用インプラントの部分断面図である。
【図１】
0004142257.tif 000002
【図２】
0004142257.tif 000003